(57)【要約】      （修正有）【課題】書面を丁寧に包装したうえで、書面が折り曲がらないように容易に持ち運びが可能な書面包装具を提供する。【解決手段】シート状で、包装したい書面を包み込むことが可能な面積を有し、書面の平面面積と略同一又は書面の平面面積より大きい芯板１２を平面視略中央に設ける包装シート部１０を備え、包装シート部を拡げた状態で、書面を包装シート部の面上であって芯板の上方に載置し、包装シート部の辺縁部１０ａを書面の上方に折り重ねて、書面を包装シート部で包むことを特徴とする。【選択図】図３
0003196840.tif 000002
【実用新案登録請求の範囲】
【請求項１】
書面を持ち運ぶための書面包装具において、
シート状で、包装したい該書面を包み込むことが可能な面積を有し、該書面の平面面積と略同一又は該書面の平面面積より大きい芯板を平面視略中央に設ける包装シート部を備え、
該包装シート部を拡げた状態で、該書面を該包装シート部の面上であって該芯板の上方に載置し、該包装シート部の辺縁部を該書面の上方に折り重ねて、該書面を該包装シート部で包むことを特徴とする書面包装具。
【請求項２】
前記書面の大きさが、Ａ４サイズを超える大きさで、前記包装シート部が該書面を包装可能な面積を有することを特徴とする請求項１記載の書面包装具。
【請求項３】
前記包装シート部が、前記書面を包んだ状態で、該包装シート部の前記辺縁部が広がらないように固定する固定部材を備えることを特徴とする請求項１又は請求項２記載の書面包装具。
【請求項４】
前記固定部材が、前記書面を包んだ状態の前記包装シート部の外周を結束する拘束帯であることを特徴とする請求項１〜請求項３のいずれかに記載の書面包装具。
【請求項５】
前記包装シート部が、布又は革であることを特徴とする請求項１〜請求項４のいずれかに記載の書面包装具。
【請求項６】
前記書面を包んだ状態の前記包装シート部を、カバーするカバー部材を備えることを特徴とする請求項１〜請求項５のいずれかに記載の書面包装具。
【考案の詳細な説明】
【技術分野】
【０００１】
本考案は、図面や資料等の書面を持ち運ぶ書面包装具に関する。
【背景技術】
【０００２】
従来より、図面などのサイズの大きな書面を持ち運ぶ場合には、図面ファイルが用いられている。この図面ファイルは、特許文献１や特許文献２に示されるような、板材の鍔部分を上方に折り返して部分的に箱状又は袋状にし、半開きのようになって平面状に拡がった状態の板材の内側面に図面を載置し、板材を２つ折りに折りたたんで箱状の鍔部分を密着させることで、その内側に書面を収納する構造になっている。また、この板材の材質は、紙材や樹脂シートである。
【先行技術文献】
【特許文献】
【０００３】
【特許文献１】特開２００４−０４２２９０号公報
【特許文献２】特開平０８−１１２９８９号公報
【考案の概要】
【考案が解決しようとする課題】
【０００４】
しかしながら、従来の図面ファイルは、例えば、個人住宅の設計図面等は、建築物の施主さんにとって非常に価値の高い貴重な書面であるにも関わらず、樹脂製で単純に図面を入れて折りたたんで収納するものに過ぎず、施主さんからすると設計図面等を丁重に扱ってもらっている印象が薄く、意匠性に乏しいものであった。
【０００５】
本考案は、このような事情に鑑みてなされたもので、書面を丁寧に包装したうえで、書面が折り曲がらないように容易に持ち運びが可能な書面包装具を提供することにある。
【課題を解決するための手段】
【０００６】
請求項１記載の書面包装具は、シート状で、包装したい書面を包み込むことが可能な面積を有し、書面の平面面積と略同一又は書面の平面面積より大きい芯板を平面視略中央に設ける包装シート部を備え、包装シート部を拡げた状態で、書面を包装シート部の面上であって芯板の上方に載置し、包装シート部の辺縁部を書面の上方に折り重ねて、書面を包装シート部で包むことを特徴とする。
【０００７】
請求項２記載の書面包装具は、書面の大きさが、Ａ４サイズを超える大きさで、包装シート部が書面を包装可能な面積を有することを特徴とする。
【０００８】
請求項３記載の書面包装具は、包装シート部が、書面を包んだ状態で、包装シート部の辺縁部が広がらないように固定する固定部材を備えることを特徴とする。
【０００９】
請求項４記載の書面包装具は、固定部材が、書面を包んだ状態の包装シート部の外周を結束する拘束帯であることを特徴とする。
【００１０】
請求項５記載の書面包装具は、包装シート部が、布又は革であることを特徴とする。
【００１１】
請求項６記載の書面包装具は、書面を包んだ状態の包装シート部を、カバーするカバー部材を備えることを特徴とする。
【考案の効果】
【００１２】
本願考案によれば、包装シート部を拡げた状態で、書面を包装シート部の面上であって芯板の上方に載置し、包装シート部の辺縁部を書面の上方に折り重ねて、書面を包装シート部で包むことで、書面を丁寧に包装したうえで、書面が折り曲がらないように容易に持ち運びが可能な書面包装具を提供することにある。
【図面の簡単な説明】
【００１３】
【図１】本考案に係る書面包装具の一例を示す説明図である。
【図２】図１のＡ−Ａ線矢視端面図である。
【図３】同書面包装具の使用方法を示す説明図である。
【図４】同書面包装具の使用方法を示す説明図である。
【図５】同書面包装具の使用方法を示す説明図である。
【考案を実施するための形態】
【００１４】
以下、本考案の形態について図面を参照しながら具体的に説明する。図１は、本考案に係る書面包装具の一例を示す説明図である。図２は、図１のＡ−Ａ線矢視端面図である。図３〜図５は、同書面包装具の使用方法を示す説明図である。
【００１５】
図における書面包装具１は、図面や資料等の書面を持ち運ぶための書面の収納・運搬のためのものである。本実施の形態における書面包装具１は、包装シート部１０と、カバー部材２０とを備えている。尚、本実施の形態では、書面包装具１では、包装シート部１０とカバー部材２０とからなるが、必ずしもカバー部材２０を有する必要はなく、包装シート部１０のみであってもよい。
【００１６】
また、書面包装具１で、持ち運び可能な書面とは、建築関係の図面や写真や契約書等の各種の紙やそれに準ずる媒体であり、書面を束ねたファイル等も含まれ、書面包装具１で包み込むことが可能なものであればよい。さらに、書面の大きさについては、書面包装具１の大きさを、その書面を包み込むことが可能な大きさに定めることにより、書面自体の大きさは任意となる。書面の大きさについては、建築関係の図面のように、Ａ４サイズを超える大きさで、丁寧に持ち運びを行う必要のあるものも多く、包装シート部１０がＡ４サイズを超える大きさの書面を包装可能な面積を有することが望ましいケースも多い。
【００１７】
包装シート部１０は、シート状で、包装したい書面を包み込むことが可能な面積を有し、書面の平面面積と略同一又は書面の平面面積より大きい芯板１２を平面視略中央に設けている。包装シート部１０は、書面を包み込むことが可能な形状であれば、特に制限されるものではないが、本実施の形態では、略正方形である。包装シート部１０の材質は、書面を包み込むことが可能なシート状であれば良いが、特に、布又は革であることが、望ましい。尚、包装シート部１０のシート状の厚みは、薄手の布等でも良いが、書面を保護するに十分な厚みがあることが望ましい。
【００１８】
また、包装シート部１０の芯板１２は、包装シート部１０の表面側、裏面側又は内部のいずれにも設けることが可能で、材質は、紙や樹脂等、書面の折り曲がりを阻止できる固さのシート状のものであればよい。本実施の形態の書面包装具１の芯板１２は、包装シート部１０の書面の載置面１０ｂの裏側面に設けられている。
【００１９】
さらに、包装シート部１０には、包装シート部１０が書面を包んだ状態で、包装シート部１０の辺縁部（角部）１０ａが広がらないように固定する固定部材である拘束帯１４を備えている。固定部材は、包装シート部１０が書面を包んだ状態で、包装シート部１０の辺縁部（角部）１０ａが広がらないように固定することができれば、その形態はどのようなものでも良いが、本実施の形態の書面包装具１のように、固定部材を、書面を包んだ状態の包装シート部１０の外周を結束する拘束帯１４にすることも可能である。
【００２０】
本実施の形態の書面包装具１では、書面を包んだ状態の包装シート部１０をカバーするカバー部材２０を備えている。本実施の形態のカバー部材２０は、略長方形のシート状で、包装シート部１０をカバーした状態でカバー部材２０が開かないように拘束するためのバンド２２を備え、バンド２２の端部には、バンド２２の端部同士をつなぎ止める環状の金具２４を有している。
【００２１】
次に、上述のように構成された書面包装具１の使用方法を説明する。まず、図３に示すようにカバー部材２０及び包装シート部１０を拡げた状態にする。次に、書面を、包装シート部１０の面上であって芯板１２の上方の載置面１０ｂに載置する。そして、図４に示すように、包装シート部１０の辺縁部である角部１０ａを四方から立ち上げ、角部１０ａを書面の上方に折り重ねて、書面を包装シート部１０で包むようにする（図５参照）。その上で、図５に示すように、書面を包み込んだ状態の包装シート部１０を巻き止めるように設けられた拘束帯１４で、包装シート部１０を巻くように縛り止める。
【００２２】
書面を包み込み拘束帯１４で縛り止められた状態の包装シート部１０を、カバー部材２０でカバーする（図１及び図２参照）。そして、包装シート部１０をカバーしたカバー部材２０を、バンド２２で拘束する（金具２４でつなぎ止める）ことで、書面が、完全に包装され、書面を持ち運べる状態になる。尚、書面を書面包装具１から取り出す場合には、上述の逆の手順で書面を取り出すようにすればよい。
【００２３】
以上のように構成された書面包装具１によれば、包装シート部１０を拡げた状態で、書面を包装シート部１０の面上であって芯板１２の上方に載置し、包装シート部１０の辺縁部１０ａを書面の上方に折り重ねて、書面を包装シート部１０で包むことで、書面を丁寧に包装したうえで、書面が折り曲がらないように容易に持ち運びができる。
【００２４】
また、書面の大きさが、Ａ４サイズを超える大きさで、包装シート部１０がこの大きさ書面を包装可能な面積を有することから、図面のような大きな書面も丁寧に包装したうえで、書面が折り曲がらないように容易に持ち運びができる。
【００２５】
さらに、包装シート部１０が書面を包んだ状態で、包装シート部１０の辺縁部１０ａが広がらないように固定する固定部材である拘束帯１４を備えることで、書面を包装した状態を維持しつつ、容易に持ち運ぶことができる。さらに、固定部材が、書面を包んだ状態の包装シート部１０の外周を結束する拘束帯であることで、拘束帯１４を縛り止めることで、書面を丁寧に取り扱っている感じを醸し出すことが可能である。
【００２６】
さらに、包装シート部１０を、布又は革にすることで、書面包装具１に高級感を持たせることが可能になり、より一層、書面を丁寧に取り扱っている感じを醸し出すことが可能である。さらに、書面を包んだ状態の包装シート部１０を、カバー部材２０でさらにカバーすることで、書面を守りつつ、より一層、書面を丁寧に取り扱っている感じを醸し出すことが可能である。
【００２７】
尚、本実施の形態の書面包装具１では、包装シート部１０の辺縁部である角部１０ａを折り曲げて書面を包み込むようにしているが、角部１０ａに限らず辺縁部を折り曲げて書面を包むようにする形態であればよい。以上、好ましい実施形態により本考案を説明したが、本考案は、これらの実施形態に限定されるものではなく、実用新案登録請求の範囲内において任意に変更することが可能である。
【産業上の利用可能性】
【００２８】
本考案により、書面を丁寧に包装したうえで、書面が折り曲がらないように容易に持ち運びが可能な書面包装具を提供することができる。
【符号の説明】
【００２９】
１・・・・・書面包装具
１０・・・・包装シート部
１０ａ・・・辺縁部（角部）
１０ｂ・・・載置面
１２・・・・芯板
１４・・・・拘束帯
２０・・・・カバー部材
２２・・・・バンド
２４・・・・金具
【図１】
0003196840.tif 000003
【図２】
0003196840.tif 000004
【図３】
0003196840.tif 000005
【図４】
0003196840.tif 000006
【図５】
0003196840.tif 000007
【手続補正書】
【提出日】平成27年2月3日(2015.2.3)
【手続補正１】
【補正対象書類名】実用新案登録請求の範囲
【補正対象項目名】全文
【補正方法】変更
【補正の内容】
【実用新案登録請求の範囲】
【請求項１】
書面を持ち運ぶための書面包装具において、
シート状で、包装したい該書面を包み込むことが可能な面積を有し、該書面の平面面積と略同一又は該書面の平面面積より大きい芯板を平面視略中央に設ける包装シート部を備え、
該包装シート部を拡げた状態で、該書面を該包装シート部の面上であって該芯板の上方に載置し、該包装シート部の辺縁部を該書面の上方に折り重ねて、該書面を該包装シート部で包むことを特徴とする書面包装具。
【請求項２】
前記書面の大きさが、Ａ４サイズを超える大きさで、前記包装シート部が該書面を包装可能な面積を有することを特徴とする請求項１記載の書面包装具。
【請求項３】
前記包装シート部が、前記書面を包んだ状態で、該包装シート部の前記辺縁部が広がらないように固定する固定部材を備えることを特徴とする請求項１又は請求項２記載の書面包装具。
【請求項４】
前記固定部材が、前記書面を包んだ状態の前記包装シート部の外周を結束する拘束帯であることを特徴とする請求項３記載の書面包装具。
【請求項５】
前記包装シート部が、布又は革であることを特徴とする請求項１〜請求項４のいずれかに記載の書面包装具。
【請求項６】
前記書面を包んだ状態の前記包装シート部を、カバーするカバー部材を備えることを特徴とする請求項１〜請求項５のいずれかに記載の書面包装具。